(57)【要約】【課題】近接配置された複数の押し釦部等の突出部を有するシリコーンゴムキーパッドを用いても、近接する突出部同士において、光を透過して発光する一方から他方への光漏れを防止する表示構造を提供すること。【解決手段】光源と、光源の上に配置される光透過性を有するベースシート及びベースシートの表面から突出して設けられた光透過性を有する複数の突出部を有し、複数の突出部のうち少なくとも一つの突出部が光源からの光を透過して発光するパッドと、パッドを覆うように配置され、複数の突出部の頂部の光のそれぞれを通す窓を有するベゼル部と、を備え、ベゼル部は、ベースシート上で複数の突出部のうち一つの突出部と他の突出部との間に配置される壁部を有し、ベースシートには、一つの突出部と他の突出部との間に、一つの突出部側から他の突出部側への光源の光の透過を遮る遮光部が設けられている。【選択図】図６
2019101177.tif 000002
【特許請求の範囲】
【請求項１】
光源と、
前記光源の上に配置される光透過性を有するベースシート及び前記ベースシートの表面から突出して設けられた光透過性を有する複数の突出部を有し、前記複数の突出部のうち少なくとも一つの突出部が前記光源からの光を透過して発光するパッドと、
前記パッドを覆うように配置され、前記複数の突出部の頂部の光のそれぞれを通す窓を有するベゼル部と、
を備え、
前記ベゼル部は、前記ベースシート上で前記複数の突出部のうち前記一つの突出部と他の突出部との間に配置される壁部を有し、
前記ベースシートには、前記一つの突出部と前記他の突出部との間に、前記一つの突出部側から前記他の突出部側への前記光源の光の透過を遮る遮光部が設けられている、
ことを特徴とする表示構造。
【請求項２】
前記遮光部は、
前記ベースシートにおいて前記一つの突出部と前記他の突出部との間に形成される孔部と、
前記一つの突出部と前記他の突出部との間に介在するよう前記孔部の内部に配置された、光透過性を有しない介在部と、
を有する、
ことを特徴とする請求項１に記載の表示構造。
【請求項３】
前記介在部は、前記壁部に設けられている、
ことを特徴とする請求項２に記載の表示構造。
【請求項４】
前記光源が実装される実装面を有し、
前記パッドは、前記実装面に重ねて配置され、
前記介在部を成す前記壁部は、前記孔部に内嵌して前記実装面に当接するように延在する、
ことを特徴とする請求項３に記載の表示構造。
【請求項５】
前記一つの突出部は、弾性変形する中空メーサ状のスカート部と、
前記スカート部の弾性変形により前記光源の接点部を導通して前記光源を発光させる導通部と、
を有する、
ことを特徴とする請求項１から４のいずれか一項に記載の表示構造。
【請求項６】
前記光源が実装される実装面を有する実装部を有し、
前記介在部は、前記実装部に設けられている、
ことを特徴とする請求項２に記載の表示構造。
【請求項７】
前記パッドは、前記実装面に重ねて配置され、
前記介在部を成す前記実装部は、前記実装面から上方に突出し前記孔部に内嵌して前記壁部に当接するよう延在する、
ことを特徴とする請求項６に記載の表示構造。
【発明の詳細な説明】
【技術分野】
【０００１】
本発明は、光源からの光を透過して表示する表示構造に関する。
【背景技術】
【０００２】
従来、例えば、携帯電話又はＰＨＳ等の通信端末、リモートコントローラー、パソコンの入力用キーボード等の操作部には、例えば、複数の押し釦部を有するシリコーンゴムキーパッドが使用されている。
【０００３】
シリコーンゴムキーパッドは、耐熱性、耐寒性に優れたシリコーンゴム組成物を圧縮加熱成形して硬化させた成形品であり、押し釦部は、薄肉で弾性変形可能な中空メーサ状のスカート部を有し、スカート部を介してベースシート上に設けられる（例えば、特許文献１参照）。シリコーンゴムキーパッドでは、押し釦部がユーザにより押圧されると、スカート部の座屈変形により、ユーザに対して、押し圧感及びクリック感を付与する。
【０００４】
ゴムキーパッドとしては、押し釦部とベースシートとが光透過性を有し、機器内部からの光で照光するいわゆる照光式キーパッドが知られている。
【０００５】
シリコーンゴムキーパッドを用いた照光式キーパッドでは、押し釦部を押圧操作することにより、シリコーンゴムキーパッドの裏側にあるプリント基板上に配置された固定接点が導通し、スイッチ機能を発揮するとともに、機器筐体内に配置されたチップＬＥＤなどの照光源によって押し釦部を下方から照光するようになっている。
【先行技術文献】
【特許文献】
【０００６】
【特許文献１】特開平１１−１１５０７０号公報
【発明の概要】
【発明が解決しようとする課題】
【０００７】
しかしながら、従来のシリコーンゴムキーパッドを用いた表示器の構造では、光を透過する押し釦部が複数近接して配置される場合、光を透過する押し釦部から、この押し釦部に近接する別の押し釦部側に光が漏れて、別の押し釦部を光が透過し、別の押し釦部が発光しているように視認されるという問題がある。
【０００８】
本発明はかかる点に鑑みてなされたものであり、近接配置された複数の押し釦部等の突出部を有するシリコーンゴムキーパッドを用いても、近接する突出部同士において、光を透過して発光する一方から他方への光漏れを防止する表示構造を提供することを目的とする。
【課題を解決するための手段】
【０００９】
本発明に係る表示構造の一態様は、
光源と、
前記光源の上に配置される光透過性を有するベースシート及び前記ベースシートの表面から突出して設けられた光透過性を有する複数の突出部を有し、前記複数の突出部のうち少なくとも一つの突出部が前記光源からの光を透過して発光するパッドと、
前記パッドを覆うように配置され、前記複数の突出部の頂部の光のそれぞれを通す窓を有するベゼル部と、
を備え、
前記ベゼル部は、前記ベースシート上で前記複数の突出部のうち前記一つの突出部と他の突出部との間に配置される壁部を有し、
前記ベースシートには、前記一つの突出部と前記他の突出部との間に、前記一つの突出部側から前記他の突出部側への前記光源の光の透過を遮る遮光部が設けられている構成を採る。
【発明の効果】
【００１０】
本発明によれば、近接する突出部同士において、光を透過して発光する一方から他方への光漏れを防止することができる。
【図面の簡単な説明】
【００１１】
【図１】本発明の実施の形態に係る表示構造を有する生体情報表示装置を示す全体図である。
【図２】表示構造を適用した同生体情報表示装置の操作パネルの要部構成を示す分解斜視図である。
【図３】図２の操作パネルを下方から見た図である。
【図４】キーパッドの要部構成を示す斜視図である。
【図５】上筐体の裏面の要部構成を示す斜視図である。
【図６】キーパッドの要部構成を示す断面図である。
【図７】変形例１としてのキーパッドの要部構成を示す操作パネルの平面図である。
【図８】図７に示すキーパッドの要部構成を示す操作パネルの断面図である。
【図９】変形例２としてのキーパッドの要部構成を示す断面図である。
【発明を実施するための形態】
【００１２】
以下、本発明の実施の形態について、図面を参照して詳細に説明する。
表示構造は、例えば、図１に示すような医療分野における生体情報表示装置１に適用される。生体情報表示装置１は、心電図及び心音図波形等の生体情報を収集し、該心電図及び心音図波形の表示及び解析等を行う心電図心音図解析装置等である。本実施の形態の表示構造は、例えば学童において心臓検診及び心音検診等を行う集団検診に適した、被検者毎に装着可能な複数の電極及び複数の心音マイクを備えて複数の被検者の生体情報を同時に取得可能な心電計としての生体情報表示装置１に適用されている。表示構造は、生体情報表示装置１として用いられる場合、心電図心音図解析装置等の生体情報表示装置に限定されるものではなく、生体情報であれば任意の情報処理装置に応用可能なことは勿論である。
【００１３】
具体的には、生体情報表示装置１は、表示構造を適用した操作パネル１００を有する装置本体２と、装置本体２に開閉自在に取り付けられ、収集した生体情報を表示する表示画面４を有する表示部３とを備える。
【００１４】
装置本体２は、図示しない接続部に被検者毎に装着される複数の電極及び複数の心音マイクが接続されている。装置本体２は、操作パネル１００のキー（特にキー２４）を操作して、装置本体２に入力される被検者の生体情報を選択して、表示部３の表示画面４に表示できるように、構成されている。
【００１５】
操作パネル１００は、装置本体２の上面部分に、プリンタ５に隣接して配置される。操作パネル１００はプリンタ５とともに、箱状の下筐体２ａを覆うように下筐体２ａに取り付けられている。操作パネル１００は、パネル上面から押圧可能に設けられる複数のキー２４と、突出表示部２６（２６Ａ〜２６Ｆ）を有する。
【００１６】
本発明の実施の形態に係る表示構造は、基板上に配置されるパッド（本実施の形態ではキーパッド）におけるベースシートの表面に突出して設けられた光透過性を有し、且つ、基板の光源の光を透過する複数の突出部を有する。表示構造の突出部は、本実施の形態では、突出表示部２６（２６Ａ〜２６Ｆ）に相当する。なお、本実施の形態の操作パネル１００において、キー２４のうち後述する発光キーを突出部としてもよい。
【００１７】
キー２４は、生体情報表示装置を操作するためのものであり、押圧された際に、発光する発光キーである第１切替キー２４Ａ、第２切替キー２４Ｂ及びスタートストップキー２４Ｃと、照光キー（２４Ｄ〜２４Ｇ）とを含む。
【００１８】
発光キー（２４Ａ〜２４Ｃ）は、押圧によりキートップが発光するように構成されるキーである。
第１切替キー２４Ａは、複数の被検者のそれぞれに装着される電極からの生体情報を被検者毎に切り替えて表示する。具体的には、第１切替キー２４Ａは、装置本体２に接続される第１電極（図示省略）からの第１の被検者の生体情報と、装置本体２に接続される第２電極（図示省略）からの第２の被検者の生体情報とを切り替えて表示部３の表示画面４に表示する操作キーである。
第１切替キー２４Ａは、第１電極に対応するキー２４０Ａと、第２電極に対応するキー２４０Ｂとを有する。これらキー２４０Ａ、２４０Ｂのうち何れかのキーが押下されることにより、押圧されるキー自体が発光し、表示画面４の表示対象が、押下されるキーに対応する被検者の生体情報に切り替わる。
【００１９】
第２切替キー２４Ｂは、第１切替キー２４Ａにより選択されて表示された方の被検者の生体情報のうち異なる種類の生体情報を切り替えて表示する。
第２切替キー２４Ｂは、例えば、測定対象を心電図と心音図との間で切り替えるための操作キーであり、心電図に対応するキー２４０Ｃと、心音図に対応するキー２４０Ｄとを有する。キー２４０Ｃ、２４０Ｄの何れかのキーが押下されることにより、キー自体が発光し、表示画面４には、押下されたキーに対応する測定対象に切り替えて表示される。例えば、キー２４０Ｃが押圧されると、第１切替キー２４Ａで押圧されたキー（キー２４０Ａ、２４０Ｂの何れか）に対応する被検者の心電図が表示画面４に表示される。また、キー２４０Ｄが押圧されると第１切替キー２４Ａで押圧されたキー（キー２４０Ａ、２４０Ｂの何れか）に対応する被検者の心音図が表示画面４に表示される。
【００２０】
スタートストップキー２４Ｃは、生体情報の収録の開始／停止を行う操作キーである。なお、スタートストップキー２４Ｃは、表示された生体情報の安定状態（安静状態）が確認されるとユーザにより一度押圧され、これにより生体情報の収録（例えばプリンタ５による印字）が開始され、一定時間（一般に５〜１０秒程度）にわたり生体情報が収録されるとユーザにより再度押圧され、これにより収録が停止される。
【００２１】
照光キー（２４Ｄ〜２４Ｇ）は、押圧により対応する突出表示部２６（２６Ａ〜２６Ｆ）を発光させるキーである。照光キー（２４Ｄ〜２４Ｇ）は、それぞれ対応する突出表示部２６（２６Ａ〜２６Ｆ）の近傍に配置される。操作者に押圧されると照光キー（２４Ｄ〜２４Ｇ）は、それぞれ近傍に配置される突出表示部２６（２６Ａ〜２６Ｆ）を発光体４０により照光して発光（詳細には、発光状態に）させる。特定の突出表示部２６（２６Ａ〜２６Ｆ）が光ることにより、その特定の突出表示部に対応して近傍配置された照光キー（２４Ｄ〜２４Ｇ）が押圧されたことを表示する。
【００２２】
本実施の形態では、突出表示部２６Ａ〜２６Ｆを照光させる照光キー（２４Ｄ〜２４Ｇ）は、誘導キー２４Ｄ、２４Ｅ、ＳＴＤキー２４Ｆ及びスペアキー２４Ｇである。誘導キー２４Ｄ、２４Ｅは、表示画面４に表示される誘導を切り替えるキーである。誘導キー２４Ｄ、２４Ｅが押圧されると、突出表示部２６Ａ〜２６Ｄは、発光して表示画面４に表示されている誘導を示す。突出表示部２６Ａ〜２６Ｄで表示される誘導は、例えば、「Ｉ−ＩＩＩ」、「ａＶＲ−ａＶＦ」、「Ｖ１−Ｖ３」、「Ｖ４−Ｖ６」であり、これらは、誘導キー２４Ｄ、２４Ｅを押圧することにより、順次切り替えられる。本実施の形態では、誘導キーは、「←」を示す誘導キー２４Ｄと、「→」を示す誘導キー２４Ｅである。誘導キー２４Ｄ、２４Ｅが押圧されると、キーに表示される矢印の向きに従い、「Ｉ−ＩＩＩ」、「ａＶＲ−ａＶＦ」、「Ｖ１−Ｖ３」、「Ｖ４−Ｖ６」の誘導をそれぞれ示す突出表示部２６Ａ〜２６Ｄが順に発光する。これら突出表示部２６Ａ〜２６Ｄの発光の変更とともに、表示画面４に表示される誘導が変更される。ＳＴＤキー２４Ｆは、突出表示部２６Ａ〜２６Ｄで表示画面４に表示されている誘導に基線（例えば、Ｐ波の始まりから次の始まりまでを結んだ線）を表示するキーである。ＳＴＤキー２４Ｆが押圧されることにより、突出表示部２６Ｅが発光して、表示画面４に基線が表示される。スペアキー２４Ｇは、設定したスペア誘導に切り替えるキーであり、押圧されることにより、表示画面４にスペア誘導が表示されるとともに、スペアキー２４Ｇに対応する突出部が光る。このように、表示構造を適用した本実施の形態の生体情報表示装置１では、選択された誘導に応じて、操作パネル１００の誘導キー２４Ｄ、２４Ｅ、ＳＴＤキー２４Ｆ及びスペアキー２４Ｇの突出表示部２６Ａ〜２６Ｆが適宜点灯する。
【００２３】
［操作パネル１００の要部構成］
図２は、表示構造を適用した生体情報表示装置１の操作パネル１００の要部構成を示す分解斜視図であり、図３は、図２に示す操作パネル１００を下方から見た図である。また、図４は、キーパッド２０の要部構成を示す斜視図であり、図５は、上筐体３０の裏面の要部構成を示す斜視図である。
【００２４】
図２及び図３に示すように、操作パネル１００は、基板１０、基板１０に実装される発光体４０、キーパッド２０、図柄シート５０、操作パネル１００の本体となるベゼル部としての上筐体３０、表面シート６０、電源スイッチ部７０を有する。
【００２５】
操作パネル１００では、基板１０の主表面上に、キーパッド２０が配置されている。図２〜図４に示すように、キーパッド２０のキー２４のキートップ２４１には、図柄シート５０のキーカバー５２が被せられる。キーカバー付きのキー２４と突出表示部２６は、上筐体３０に、キートップ２４１及び突出表示部２６の配列と同一に形成されたそれぞれの窓孔３３に挿入されている。これら基板１０、キーパッド２０及び図柄シート５０は、装置本体２の下筐体２ａ内に順に積層され、下筐体２ａと上筐体３０との間に配置されている。
【００２６】
基板１０は、操作パネル１００の各キー２４を押圧することによりそれぞれ導通させるとともに、発光キー（２４Ａ〜２４Ｃ）及び照光キー（２４Ｄ〜２４Ｇ）の押圧により、対応する発光体４０を発光させる回路４２を有する。
【００２７】
基板１０の主表面には、例えば、プリント配線された所定の電気回路（回路４２を含む）が形成されている。この電気回路において、発光体４０は、実装されている。すなわち、基板１０は、発光体４０の実装部であり、基板１０の主表面は、発光体４０の実装面である。
【００２８】
発光体４０は、光源であり、例えば、ＬＥＤである。発光体４０は発光して発光キー及び突出表示部２６を照光して発光状態にするものであれば、どのように構成されてもよい。
発光体４０は、本実施の形態では、基板１０の電気回路において、基板１０上に接して積層されるキーパッド２０のキー２４のうちの発光キー（２４Ａ〜２４Ｃ）、突出表示部２６（２６Ａ〜２６Ｆ）等の配列に対応する位置に実装されている。なお、発光体４０は基板１０に直接実装されていなくてもよい。
【００２９】
上筐体３０は、基板１０を覆うように設けられた面状の表面部３２に、キー２４及び突出表示部２６の配列に対応する位置に複数の窓孔３３を有する。
窓孔３３のうち、発光キーのキートップ２４１及び突出表示部２６の頂部２６１が挿入される窓孔３３は、発光キーのキートップ２４１及び突出表示部２６の頂部２６１の光をそれぞれ通す窓であればよく、発光キーのキートップ２４１及び突出表示部２６の頂部２６１が挿入されなくてもよい。例えば、表面部３２に穿孔してなる窓孔内に透明部材を配置し、この透明部材を介して、発光キーのキートップ２４１及び突出表示部２６の頂部２６１の光を外部に通す構成としてもよい。なお、上筐体３０の表面部３２の表面には、キー２４及び突出表示部２６の配列に対応する位置に複数の孔部が設けられ、且つ、孔部の周辺に各キーを表示する印刷が施された表面シート６０が取り付けられている。
【００３０】
上筐体３０は、表面部３２の裏面に、少なくとも突出表示部２６が挿入される窓孔３３を囲むように、下方に突出してリブ状の仕切り壁部３４が設けられている（図３及び図５参照）。
【００３１】
仕切り壁部３４は、ベースシート２２と上筐体３０の表面部３２との間の空間に配置され、隣接する突出表示部２６をそれぞれ収容する空間３６Ａ、３６Ｂで仕切るものである（図３、図５参照）。仕切り壁部３４は、表面部３２の裏面から突出して設けられる壁部３４０の一部を構成する。壁部３４０は、ベースシート２２と上筐体３０の表面部３２との間の空間に配置される。壁部３４０の下端部はベースシート２２の表面に当接することが望ましい。壁部３４０は、突出表示部２６のそれぞれとともに、発光キーのそれぞれを囲むように配置されている。
【００３２】
なお、本実施の形態では、仕切り壁部３４を含む壁部３４０により、上筐体３０の表面部３２は補強され、上筐体３０自体の強度の向上が図られている。
【００３３】
図２〜図４に示すキーパッド２０は、光透過性を有し、一面（ここでは裏面）で対向する発光体４０からの光を透過する。キーパッド２０は、本実施の形態では、可撓性を有し、天然ゴム各種合成ゴムあるいは熱可塑性エラストマー等に代表される絶縁性のゴム状弾性材を原料とし、圧縮成形、射出成形等の様々な方法で加工することにより製造されたゴム状弾性体である。キーパッド２０に使用されるゴム状弾性材としては、例えば、電気絶縁性、耐寒性、耐熱性、耐薬品性、精密成形性、反撥弾性等、接点キースイッチに要求される特性を有するシリコーンゴムであることが好ましい。
【００３４】
キーパッド２０は、光透過性のゴム状弾性体であるベースシート２２と、ベースシート２２から突出して設けられる複数のキー２４と突出表示部２６と，ベースシート２２に形成されるスリット２７とを有する。
【００３５】
本実施の形態では、キー２４及び突出表示部２６は、ベースシート２２と同材料からなる光透過性のゴム状弾性体であり、ベースシート２２と一体に成形されている。なお、キーパッド２０は、本実施の形態では、ベースシート２２と、キー２４及び突出表示部２６とを一体としたが、これに限らず光透過性のゴム状弾性体であるベースシート２２に、光透過性を有する樹脂等によりキー２４及び突出表示部２６のうち少なくとも一方を設けた構成としてもよい。
【００３６】
ベースシート２２は、基板１０の主表面上に配置され、本実施の形態では、基板１０の主表面の全主表面を覆うように重ねて配置される。
【００３７】
ベースシート２２は、基板１０の発光体４０に対応して基板１０側に凹状に開口して形成され、発光体４０を囲むように配置される光導入部２８（図３及び図６参照）を有する。光導入部２８は、ベースシート２２の裏面側において、ベースシート２２の表面から突出する突出表示部２６の下方（ここでは直下）に設けられている。光導入部２８内の発光体４０は、真上の突出表示部２６の近傍に配置される照光キー２４Ｄ〜２４Ｇが押圧されることにより発光する。光導入部２８内の発光体４０が発光することにより、光導入部２８を介して、突出表示部２６（２６Ａ〜２６Ｆ）は照光される。
【００３８】
ベースシート２２には、キー２４が配列される部位の裏面には開口が形成され、この開口を閉塞するようにキー２４のスカート部２４３とキー本体２４２が設けられている（図２及び図３参照）。
【００３９】
発光キー（２４Ａ〜２４Ｃ）、照光キー（２４Ｄ〜２４Ｇ）を含むキー２４は、それぞれ窓孔３３から上方に露出するキートップ２４１を有するキー本体２４２と、キー本体２４２の基端部に設けられる薄肉のスカート部２４３と、を有する。スカート部２４３は、弾性変形する中空メーサ状をなしており、弾性変形してキー２４自体を基板側に進退移動させる。また、スカート部２４３内のキー本体２４２の底面には、基板１０の固定接点同士を接続する導通部２４５が設けられている。
【００４０】
キー２４では、キートップ２４１が押圧されることにより、キー本体２４２がスカート部２４３を弾性変形させつつ基板１０側に移動し、導通部２４５が、基板１０における回路４２が有する固定接点同士を接続し、固定接点部を導通させる。
【００４１】
キー２４のうち発光キー（２４Ａ〜２４Ｃ）は、スカート部の内側に、発光体４０が配置され、キー本体２４２が上方から押圧されることにより、スカート部２４３が変形することによって、導通部２４５が基板１０の固定接点同士を接続するとともに、発光体４０を発光させる。これにより、キー本体２４２は透光し、発光キーのキートップ２４１が光る。
【００４２】
突出表示部２６（２６Ａ〜２６Ｄ）は、ベースシート２２上に複数並べて互いに近接又は隣接して配置されている。
【００４３】
図６は、キーパッド２０の要部構成を示す概略断面図であり、図６では、隣接して配置される突出表示部２６Ａ、２６Ｂを示す。
【００４４】
突出部としての突出表示部２６Ａ〜２６Ｆは同様に構成されるので、突出部として突出表示部２６Ａの構成を説明し、他の突出表示部２６Ｂ〜２６Ｆの説明は、省略する。
【００４５】
突出表示部２６Ａは、窓孔３３から上部に露出する頂部２６１と、透光してベースシート２２から頂部２６１に導光する突出表示部本体２６２とを有する。
【００４６】
突出表示部本体２６２は、ベースシート２２の光導入部２８の真上に配置される。突出表示部本体２６２は、光導入部２８を介して光導入部２８内の発光体４０からの光を透過して、頂部２６１に導光する。
【００４７】
光導入部２８内の発光体４０（４０Ａ、４０Ｂ）は、誘導キー２４Ｄの押圧により発光する。よって、誘導キー２４Ｄの押圧に応じて、発光体４０Ａが発光することで、突出表示部２６Ａの頂部２６１は光り、発光体４０Ｂが発光することで、突出表示部２６Ｂの頂部２６１が光る。
【００４８】
スリット２７は、隣接する突出表示部２６において、一方の突出表示部（例えば２６Ａ）の光源である発光体４０の光が、他方の突出表示部（例えば２６Ｂ）側に透過することを防止する、つまり、一方側から他方側へ光の漏れを遮断するように設けられる。
スリット２７は、本実施の形態では、光透過性を有しない遮光部材３８とともに、一方の突出表示部である一つの突出部と、他方の突出表示部である他の突出部との間に形成され、一つの突出部側から他の突出部側への発光体４０の光の透過を遮る遮光部を構成する。なお、遮光部は、光源である発光体４０の光を透過して発光する一つの突出部側から他の突出部側への発光体４０の光の透過を遮るものであれば、ベースシート２２にどのように設けられてもよい。遮光部による光の通過を遮ることは、望ましくは、光の透過を完全になくすことであるが、視認困難な程度にまで光の透過量を減衰することも含んでよい。つまり、遮光部は、光を遮断して光の漏れを防止する他、一つの突出部側から他方の突出部側への光を漏れにくくする機能を有する。
【００４９】
スリット２７は、近接配置された突出表示部２６Ａ、２６Ｂ間のベースシート２２に、隣り合う突出表示部２６Ａ、２６Ｂ同士の最短距離での連続を遮断するように形成されている。スリット２７は、隣接する突出表示部２６の一方から他方への光の透過（光の漏れ）を遮断するように設けられるものであれば、どのような形状に形成されていてもよい。本実施の形態では、スリット２７は、ベースシート２２を貫通して、突出表示部２６Ａ、２６Ｂが並ぶ方向と直交する方向に延在する細長穴状に形成されているが、これに限らず、例えば曲線形状など矩形以外の形状で形成された孔部或いは切欠部としてもよい。要するに、スリット２７などの孔部或いは切欠部は、ベースシート２２において突出表示部２６Ａ、２６Ｂ間を最短距離で結ぶ直線状の光伝達路を断つように設けられていればよい。キーパッド２０が半透明であれば、ベースシート２２における最短距離の光伝達路が断たれることで、一定程度の減光効果を実現することができる。また、スリット２７などの孔部或いは切欠部を設けることにより、光透過性を有しない遮光部材３８の配置スペースをベースシート２２に確保することができる。
【００５０】
スリット２７内には、本実施の形態では、介在部としての遮光部材３８が嵌合している。遮光部材３８は、光透過性を有せず、また、スリット２７内に配置されることで一対の隣接する突出表示部２６間に介在することになるため、一対の隣接する突出表示部２６の間における一方から他方へ漏れる光を確実に遮断することができる。
【００５１】
遮光部材３８は、本実施の形態では、図３、図５及び図６に示すように、上筐体３０の表面部３２の裏面側から突出する仕切り壁部３４の先端に当該先端から基板１０側に突出して形成されている。これにより、スリット２７内に内嵌して遮光部３８を成す仕切り壁部３４は、基板１０に当接するよう延在する。
遮光部材３８は、本実施の形態では、仕切り壁部３４に一体に成形、つまり、仕切り壁部３４を有する上筐体３０に一体に成形されている。
【００５２】
仕切り壁部３４の先端の遮光部材３８が、スリット２７に内嵌して、基板１０の主表面に当接している（図６参照）。これにより、遮光部材３８は、スリット２７を完全に閉塞し、基板１０の主表面と、キーパッド２０の表面側の空間とは完全に仕切った状態となっている。よって、遮光部材３８は、仕切り壁部３４とともに、スリット２７を挟み配置される突出表示部２６Ａ、２６Ｂの一から他方への光の漏れを防止できるとともに、キーパッド２０上に外部から水が侵入する場合でも基板１０に到達することがなく、防水性の向上が図られている。
【００５３】
なお、図柄シート５０は、キー２４の機能などを示す文字を含む図柄が表示されている。図柄シート５０は、キー２４配列に対応して配列され、且つ、それぞれのキー２４のキートップ２４１を覆う複数のキーカバー５２と、これらキーカバー５２を繋ぐランナー部５４とで構成されている。ランナー部５４を介して複数のキーカバー５２が一体に設けられているので、操作パネル１００を組み立てる際に、キーパッド２０のキー２４のキートップ２４１に一度に容易に被せることができる。図柄シート５０は、薄肉厚であることが好ましく、例えば、シート状のＰＣ（ポリカーボネート）を成形してなる。図柄シート５０は、キー２４を表面側から覆うように設けられているので、上筐体３０側から内部への水の浸入を防ぐことができ、基板１０の一層の防水性を高めている。
【００５４】
［操作パネル１００における表示構造による効果］
このように、本実施の形態では、主表面に光源である発光体４０が設けられる基板１０の表面にキーパッド２０が配置されている。キーパッド２０は、基板の主表面上に配置される光透過性を有するベースシート２２と、ベースシート２２から突出して設けられた光透過性を有する複数の突出表示部２６とを有し、複数の突出表示部２６のうち少なくとも一つ（２６Ａ〜２６Ｄ等）が真下の発光体４０からの光を透過する。ベゼル部である上筐体３０は、キーパッド２０を覆うように配置され、複数の突出表示部２６の先端部である頂部２６１がそれぞれ挿入し操作パネル１００の外側に臨む窓孔３３を有する。
【００５５】
上筐体３０は、ベースシート２２上で、且つ、複数の突出表示部２６Ａ、２６Ｂ間に配置される仕切り壁部３４を有し、ベースシート２２には、複数の突出表示部２６Ａ、２６Ｂ間にスリット２７が形成されており、スリット２７内には、複数の突出表示部２６Ａ、２６Ｂの一方から他方への光の透過を遮断する遮光部材３８が挿入して嵌合されている。
【００５６】
これにより、隣接する突出表示部２６同士において、一方の突出表示部（例えば、突出表示部２６Ａ）が、光源である発光体４０からの光を透過して、頂部２６１で光っても、光らない他方の突出表面部（例えば突出表面部２６Ｂ）側に光が漏れることがなく、好適に点灯できる。
このように、本実施の形態によれば、近接する突出表示部２６（例えば、２６Ａ、２６Ｂ）同士において、光を透過して発光する一方から他方への光漏れを防止することができる。
【００５７】
また、本実施の形態では、遮光部材３８は、仕切り壁部３４の下端から突出して設けられているため、遮光部材３８のスリット２７内への挿入を、上筐体３０の組み付けとともに行うことができ、組立作業性の向上を図ることができる。
【００５８】
基板１０と上筐体３０とが基板１０上のキーパッド２０により完全に遮断されるので、上筐体３０の窓孔３３を介して装置本体２の内部に水が入り基板１０まで侵入することがなく生体情報表示装置１の耐水性、ひいては防水性を確保することができる。
【００５９】
なお、キートップ２４１は、図柄シート５０のキーカバー５２を介して上筐体３０の窓孔３３からがそれぞれ被せられており、このため、更に内部に水が浸入しにくくなっている。また、キーパッド２０の外周には、表面側から突出する周壁部が設けられている。これにより、キーパッド２０の表面側に水が侵入した場合でもキーパッド２０の外周から基板１０側に至ることがない。
【００６０】
また、本実施の形態では、キーパッド２０において、ベースシート２２上の突出表示部２６Ａ、２６Ｂ同士は、互い間の間隔の長さに関係無く、ベースシート２２のスリット２７に、上筐体３０の仕切り壁部３４Ｂの下端の遮光部材３８Ｂが挿入されることにより、互いの光の漏れが遮断される。
【００６１】
例えば、図７及び図８に示す表示器の操作パネル１００Ｂは、生体情報表示装置の操作パネル１００に代えて用いられるものであり、間隔を短くした複数の突出表示部２６Ｈを有するキーパッド２０Ｂと、表面部３２Ｂに複数の突出表示部２６Ｈの頂部２６１がそれぞれ臨む窓孔３３Ｂが設けられたベゼル部３０Ｂとを有する。なお、図７及び図８において、操作パネル１００の構成と同様の機能を有する構成については、操作パネル１００での名称に付した符号と同符号或いは同符号にＢを付して説明は省略する。
【００６２】
この操作パネル１００Ｂは、キーパッド２０Ｂのベースシート２２Ｂにおいて、ベースシート２２Ｂの表面から突出する突出表示部２６Ｈの間に、スリット２７Ｂが形成されている。これにより、短い間隔で並ぶ突出表示部２６Ｈ同士において一方の突出表示部２６Ｈから他の突出表示部２６Ｈを透光させることなく好適に透光させることができる。このように間隔を詰めて突出表示部２６Ｈを配置できるため、発光して表示する情報量の多い表示器に適用できる。また、マトリクス状に突出表示部を互いに光漏れを防止した状態で複数配置できる。
【００６３】
また、本実施の形態では、スリット２７に挿入して嵌合する遮光部材３８を仕切り壁部３４に設けた構成としたが、これに限らず、ベースシート２２のスリット２７に挿入して、複数の突出表示部２６Ａ〜２６Ｆの下方のベースシート２２において、突出表示部２６Ａ〜２６Ｆ同士の光の伝達を遮断するものであれば、どのように構成されてもよい。例えば、図９に示すように、操作パネル１００の構成において基板１０を、裏面側で部品８０を実装する基板１０Ｃとした操作パネル１００Ｃの構成としてもよい。
【００６４】
この場合、基板１０Ｃにスリット２７に連続する貫通孔１５を設け、基板１０Ｃの裏面側に実装する部品８０の底面から突出する遮光部材３８Ｃを設ける。図９に示す変形例２において基板１０Ｃ側から突出して形成されている遮光部３８Ｃは、上筐体３０Ａにおいて表面部３２Ｃの裏面から突出する仕切り壁部３４Ｃに当接するよう延在する。
【００６５】
この構成によれば、上記操作パネル１００と同様の作用効果を有するとともに、操作パネル１００Ｃの組立において、基板１０Ｃに部品８０を実装した後、基板１０Ｃの表面側にキーパッド２０を配置する際に、スリット２７を基板１０Ｃの表面から突出する遮光部材３８Ｃに嵌合させることで、キーパッド２０を容易に位置決めして配置できる。
【００６６】
基板１０Ｃ側から突出する遮光部３８Ｃは、スリット２７を閉塞し、仕切り壁部３４Ｃに当接するよう延在しているため、ベースシート２２上で仕切り壁部３４Ｃとともにベースシート２２と表面部３２Ｃ間の空間を水密的に仕切ることができる。よって、近接する突出表示部２６Ａ、２６Ｂ同士において、光を透過して発光する一方から他方への光漏れを防止できるとともに、上筐体３０Ａの表面部３２Ｃ側から基板１０Ｃへの水が浸入しにくく、防水性の向上を図ることができる。
【００６７】
なお、本実施の形態では、操作パネル１００において、ベースシート２２のスリット２７を、突出表示部２６Ａ〜２６Ｄ間の部位に設けたがこれに限らず、発光キー間に設けても良い。例えば、図２及び図３に想像線２７Ａで示すように、第１切替キー２４Ａのキー２４１、２４２間にスリットを設け、このスリットに、第１切替キー２４Ａのキー２４１、２４２間を仕切る上筐体３０の仕切り壁部の下端に設けた遮光部材を挿入する構成としてもよい。これにより隣接する発光キー同士間の光の漏れを防止することができる。
【００６８】
また、本実施の形態では、孔部としてのスリット２７とともに遮光部を構成する遮断部としての遮光部材３８、３８Ｂ、３８Ｃを、仕切り壁部３４、３４Ｂあるいは部品８０の一部としたが、これに限らず、遮光性を有する塗膜から構成され、ベースシート２２において孔部を形成する周面に設けた構成としてもよい。
【００６９】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【００７０】
本発明に係る表示構造は、近接配置された複数の押し釦部等の突出部を有するシリコーンゴムキーパッドを備える表示装置において、近接する押し釦部への光漏れを防止するものとして有用である。
【符号の説明】
【００７１】
１  生体情報表示装置
２  装置本体
３  表示部
４  表示画面
５  プリンタ
１０、１０Ｂ、１０Ｃ  基板（実装部）
１５  貫通孔
２０、２０Ｂ  キーパッド
２２、２２Ｂ  ベースシート
２４、２４０Ａ、２４０Ｂ、２４０Ｃ、２４０Ｄ  キー
２４１  キートップ
２４２  キー本体
２４３  スカート部
２４５  導通部
２６、２６Ａ、２６Ｂ、２６Ｃ、２６Ｄ、２６Ｅ、２６Ｆ、２６Ｈ  突出表示部（突出部）
２６１  頂部
２６２  突出表示部本体
２７、２７Ａ、２７Ｂ  スリット（孔部）
２８  光導入部
２ａ  下筐体
３０、３０Ａ  上筐体（ベゼル部）
３０Ｂ  ベゼル部
３２、３２Ｂ、３２Ｃ  表面部
３３、３３Ｂ  窓孔（窓）
３４、３４Ｂ、３４Ｃ  仕切り壁部（壁部）
３８、３８Ｂ、３８Ｃ  遮光部材（介在部）
４０、４０Ａ、４０Ｂ  発光体（光源）
４２  回路
５０  図柄シート
５２  キーカバー
５４  ランナー部
８０  部品
６０  表面シート
７０  電源スイッチ部
１００、１００Ｂ、１００Ｃ  操作パネル
【図１】
2019101177.tif 000003
【図２】
2019101177.tif 000004
【図３】
2019101177.tif 000005
【図４】
2019101177.tif 000006
【図５】
2019101177.tif 000007
【図６】
2019101177.tif 000008
【図７】
2019101177.tif 000009
【図８】
2019101177.tif 000010
【図９】
2019101177.tif 000011